(57)【特許請求の範囲】
【請求項１】
第１の筒状薄肉部材と、前記第１の筒状薄肉部材を所定の第１の距離だけ相対移動可能として内側に遊嵌する第２の筒状薄肉部材と、前記第２の筒状薄肉部材を所定の第２の距離だけ相対移動可能として内側に遊嵌する第３の筒状薄肉部材とからなり、前記第１の筒状薄肉部材には画像表示ユニットと案内軸受け部を内設し前記第３の筒状薄肉部材にはその一端より前記案内軸受け部に摺動可能に挿嵌される案内軸を固定するとともに前記画像表示ユニットの画像を拡大するレンズを有し、前記第１から第３の筒状薄肉部材が互いに略々挿入状態の位置と、互いに略々排出状態の位置で、所定の規制力を与える規制機構を設けてなるＥＶＦスライド機構で、前記レンズの位置を使用者の視力に合わせて視度調整するＥＶＦ視度調整機構であって、
前記レンズを固定するとともに、視度調整のための片面カムを配したレンズ支持部材と、前記レンズ支持部材を常に付勢する弾性部材と、前記片面カムに当接し、前記弾性部材の反力に抗して位置規制するカムフォロワーを有する視度調整操作部材とからなり、前記レンズ支持部材には案内軸受け孔を設け、前記案内軸に移動可能に挿嵌したことを特徴とするＥＶＦ視度調整機構。
【発明の詳細な説明】
【０００１】
【発明の属する技術分野】
本発明は、ビデオカメラ等などに使用するエレクトリック  ビュー  ファインダー（以下、ＥＶＦと記す）に利用して有効なＥＶＦ視度調整機構に関するものである。
【０００２】
【従来の技術】
近年、ビデオカメラにおいては小型化の要求が大きく、中でも所定の光学経路を確保するために小型化が困難なＥＶＦユニットについても、小型化の要求が高い。この中で、使用者の視力に合わせて焦点合わせを行う視度調整機構の小型化も重要な課題となっている。以下に従来のＥＶＦ視度調整機構について説明する。
【０００３】
図９は従来のＥＶＦスライド機構を有するビデオカメラの斜視図を示したものであり、ビデオカメラ本体２に、ＥＶＦスライド機構を内臓するＥＶＦユニット１が固定されている。図９（ａ）はＥＶＦユニット１を収納した状態、図９（ｂ）はＥＶＦユニット１を矢印Ａの方向に引き出した状態、図９（ｃ）はＥＶＦユニットを引き出した後に矢印Ｃの方向に起こした状態を、それぞれ示したものである。図１０から図１１は、ＥＶＦスライド機構の部分的な分解斜視図を示したものである。
【０００４】
図において、４は鉄板の曲げ加工にて作成されたＥＶＦスライド中で、収納／引き出し時の位置を規制するための所定の第１の距離だけ相対移動可能とするストッパーガイド穴４ａと所定の第２の距離だけ相対移動可能とするストッパー外爪（図示せず）を設けている。またこれに対応して、６は液晶表示部（以下、ＬＣＤと記す）を保持し合成樹脂にて作成されたＬＣＤホルダーで、ストッパー外爪６ａが設けられている。５は鉄板の曲げ加工にて作成されてたＥＶＦスライド大で、ストッパーガイド穴（図示せず）を設けている。
【０００５】
ＥＶＦスライド大５は、ＥＶＦスライド中４を囲むように取り付ける。取り付けは一部を弾性変形させることにより、ストッパー外爪４ｂをストッパーガイド穴５ａに入れ込んで行う。これと同様に、ＥＶＦスライド中４は、ＬＣＤホルダー６を囲むように取り付ける。取り付けはＥＶＦスライド中４を弾性変形させることにより、ストッパー外爪６ａをストッパーガイド穴４ａに入れ込んで行う。このようにして、ＬＣＤホルダー６、ＥＶＦスライド中４、ＥＶＦスライド大５を組み合わせる。
【０００６】
なお、ＥＶＦスライド大５の外側には、ＥＶＦカバー２２が固定される。また、ＬＣＤホルダー６の内部には、画像表示ユニット２５があらかじめ収納されている。
【０００７】
ＬＣＤホルダー６には、画像表示ユニットが表示する画像を覗くための開口部がある。ここには外部からごみが進入して画像表示部に付着して見苦しくなることを防ぐため、透明保護カバー８を固定している。
【０００８】
１８はアイキャップ、３２はアイキャップ１８と嵌合し固定された視度調整機構ユニットで、視度調整ユニット３２に設けられた爪３２ａをＥＶＦスライド大５に設けた係合穴５ｂに係合させ、他方を固定ビス３３にてＥＶＦスライド大５に固定して、ＥＶＦユニット１が構成される。
【０００９】
視度調整機構ユニット３２は以下のように構成されている。
図１１において、レンズ１１は円筒状のレンズホルダー１０に爪１０ｂにてあらかじめ係合固定されている。レンズホルダー１０の上下にはカムフォロワー１０ａが設けられている。一方、薄肉円筒状の視度調整リング１３の内周には、カムフォロワー１０ａに片面当接する片面カム１３ａが形成されている。
【００１０】
ガイドホルダー９にレンズ１１よりも大径のコイルばね１２、レンズホルダー１０、視度調整リング１３の順に挿入する。視度調整リング１３の端面とガイドホルダー９に設けた爪９ａが係合することにより保持され、組み立てが完了する。
【００１１】
以上のように構成された従来のＥＶＦスライド機構について、図９から図１１を用いて、その動作を説明する。
【００１２】
図１０のように、ストッパー外爪４ｂとストッパーガイド穴５ａの端面、ストッパー外爪６ａとストッパーガイド穴４ａの端面がいずれも当接することで所定の引き出し位置まで引き出され、あるいは所定の位置に収納される。
【００１３】
視度調整機構ユニット３２については、視度調整リング１３を回動して、レンズ１１が使用者の視力にあわせた位置になるように調整されている。ＥＶＦユニット１を引き出した状態では、コイルばね１２によってカムフォロワー１０ａが片面カム１３ａに規制されるので、使用者の視力にあわせた位置に保持される。
【００１４】
一方、ＥＶＦユニット１の収納時にはレンズホルダー１０と透明保護カバー８が収納過程の途中から当接する。ここで、レンズホルダー１０の位置は片面カム１３ａによってコイルばね１２の反発方向のみに対して位置規制されているので、さらに収納動作を継続するとコイルばね１２が縮み、片面カム１３ａとカムフォロワー部１０ａは離れる。このようにして、レンズの位置に関係なくコンパクトに収納することができる。
【００１５】
【発明が解決しようとする課題】
しかしながら上記従来の構成では、視度調整用のコイルバネにこのような大径のバネを使用すると、レンズの対角以上の径にするため、上下左右の寸法が大きくなってしまい、小型化の妨げとなる。他の方法としては、精度の高い溝形状のガイド部等を確保し、小径のコイルバネを使用するなどの方法もあるが、ガイド部の精度確保と、ガイド長を充分に確保する必要があり、小型化しづらいという課題を有していた。ガイド長を抑え、精度を容易に確保するためには、精度の出やすい案内軸を設けるのがよいが、別部品を追加するためコストアップとスペースの確保が障害となっていた。
【００１６】
本発明は前記課題を解決するもので、コストＵＰとスペース確保の問題を解決しながら小型で精度のよいＥＶＦ視度調整機構を提供することを目的とする。
【００１７】
【課題を解決するための手段】
この目的を達成するために本発明のＥＶＦ視度調整機構は、第１の筒状薄肉部材と、第２の筒状薄肉部材と、第３の筒状薄肉部材とを遊嵌し、前記第１の筒状薄肉部材には画像表示ユニットと案内軸受け部を内設し、前記第３の筒状薄肉部材には、その一端より前記案内軸受け部に摺動可能に挿嵌される案内軸を固定するとともに前記画像表示ユニットの画像を拡大するレンズを配設し、前記第１から第３の筒状薄肉部材が互いに略々挿入状態の位置と、互いに略々排出状態の位置において、所定の規制力を与える規制機構を設けてなるＥＶＦスライド機構において、前記レンズの位置を使用者の視力に合わせて視度調整するＥＶＦ視度調整機構であって、前記レンズを固定するとともに、視度調整のための片面カムを配したレンズ支持部材と、前記レンズ支持部材を常に付勢する弾性部材と、前記片面カムに当接し、前記弾性部材の反力に抗して位置規制するカムフォロワーを有する視度調整操作部材とからなり、前記レンズ支持部材には案内軸受け孔を設け、前記案内軸に移動可能に挿嵌したことを特徴とする構成を有している。
【００１８】
この構成によって、コストアップとスペース確保の問題を解決しながら小型で精度のよいＥＶＦ視度調整機構を提供することを目的とする。
【００１９】
【発明の実施の形態】
本発明の請求項１に記載の発明は、第１の筒状薄肉部材と、第２の筒状薄肉部材と、第３の筒状薄肉部材を遊嵌し、前記第１の筒状薄肉部材には画像表示ユニットと案内軸受け部を内設し、前記第３の筒状薄肉部材には、その一端より前記案内軸受け部に摺動可能に挿嵌される案内軸を固定するとともに前記画像表示ユニットの画像を拡大するレンズを配設し、前記第１から第３の筒状薄肉部材が互いに略々挿入状態の位置と、互いに略々排出状態の位置において、所定の規制力を与える規制機構を設けてなるＥＶＦスライド機構において、前記レンズの位置を使用者の視力に合わせて視度調整するＥＶＦ視度調整機構であって、前記レンズを固定するとともに、視度調整のための片面カムを配したレンズ支持部材と、前記レンズ支持部材を常に付勢する弾性部材と、前記片面カムに当接し、前記弾性部材の反力に抗して位置規制するカムフォロワーを有する視度調整操作部材とからなり、前記レンズ支持部材には案内軸受け孔を設け、前記案内軸に移動可能に挿嵌したことを特徴とする構成を有しており、この構成によって、ＥＶＦスライド機構の小型化と同軸度、剛性・品格を保つために設けている案内軸をレンズ支持部材のガイド軸として共用できるので、コストアップとスペース確保の問題を解決しながらＥＶＦ視度調整機構を小型で高精度に構成できるという作用を有する。
【００２０】
以下、本発明の実施の形態について、図１から図６を用いて説明する。
（実施の形態１）
図１は本実施の形態のＥＶＦ視度調整機構を有するビデオカメラの斜視図を示したものであり、ビデオカメラ本体１０２に、ＥＶＦスライド機構を内臓するＥＶＦユニット１０１が固定されている。図１（ａ）はＥＶＦユニット１０１を収納した状態、図１（ｂ）はＥＶＦユニット１０１を矢印Ａの方向に引き出した状態、図１（ｃ）はＥＶＦユニット１０１を引き出した後、矢印Ｃの方向に起こした状態を示したものである。図２は、ＥＶＦスライド機構の全体の分解斜視図を示したものである。図３から図６は、ＥＶＦスライド機構の部分的な分解斜視図を示したものである。
【００２１】
図において、１０３は第１の筒状薄肉部材であるＥＶＦスライド小、１０４は第２の筒状薄肉部材であるＥＶＦスライド中、１０５は第３の筒状薄肉部材であるＥＶＦスライド大で、いずれも鉄板の深絞りにて作成されている。ＥＶＦスライド大１０５には、所定の規制力を与える規制機構であるスライドクリックバネ１３１がかしめにて固着されている。ＥＶＦスライド中１０４にはこのスライドクリックバネ１３１の先端に嵌合するクリック穴１０４ａを設けている。ＥＶＦスライド中１０４には、収納／引き出し時の位置を規制するためのストッパー内爪１０４ｂとストッパー外爪１０４ｃを設けている。またこれに対応して、ＥＶＦスライド小１０３には所定の第１の距離だけ相対移動可能とするストッパーガイド穴１０３ｂを、ＥＶＦスライド大１０５には所定の第２の距離だけ相対移動可能とするストッパーガイド穴１０５ｂを、それぞれ設けている。
【００２２】
ＥＶＦスライド大１０５は、ＥＶＦスライド中１０４を囲むように取り付ける。取り付けはＥＶＦスライド中１０４の両側面のストッパー外爪１０４ｃ付近を図示Ｆのように付勢し、弾性変形させることにより、ストッパー外爪１０４ｃをストッパーガイド穴１０５ｂに入れ込んで行う。これと同様に、ＥＶＦスライド中１０４は、ＥＶＦスライド小１０３を囲むように取り付ける。取り付けはＥＶＦスライド小１０３の両側面を図示Ｅのように付勢し、弾性変形させることにより、ストッパー内爪１０４ｂをストッパーガイド穴１０３ｂに入れ込んで行う。このようにして、ＥＶＦスライド小１０３、ＥＶＦスライド中１０４、ＥＶＦスライド大１０５を組み合わせる。
【００２３】
１０６はＬＣＤを保持するＬＣＤホルダー、１０７はＥＶＦスライド小１０３とＥＶＦスライド中１０４との隙間からの外光もれ込みを防ぐための遮光シェードで、画像表示ユニットを収納するＬＣＤホルダー１０６に固定する。遮光シェード１０７には、常にＥＶＦスライド中１０４の内壁に弾性付勢して光漏れを防ぐように、シリコンゴムの薄板部を形成している。また、この柔らかいゴム部をＬＣＤホルダー１０６に確実に固定するため、薄肉板金で作った基板部品にこのシリコンゴムをインサート成形することにより、一体の部品として遮光シェード１０７を構成している。
【００２４】
ＬＣＤホルダー１０６には、案内軸受け部１０６ａを２個所設けている。またＬＣＤホルダー１０６には、画像表示ユニットが表示する画像を覗くための開口部がある。ここには外部からごみが進入して画像表示部に付着して見苦しくなることを防ぐため、透明保護カバー１０８をはめ込んでいる。なお、この透明保護カバー１０８の表面に付着したごみは、焦点がずれるため、ほとんど見えない。また、この透明保護カバー１０８の周囲縁から画像の光が漏れ出して見苦しいため、この光を遮光するための保護カバーシート１０８ａを透明カバー１０８表面に貼り付けている。このように構成したＬＣＤホルダー１０６はＥＶＦスライド小１０３に挿入され、係合爪１０６ｂと係合凹部１０３ｃにて係合、固定される。
前記２個所の案内軸受け部１０６ａに摺動可能に挿嵌される案内軸である２本のガイド軸１０９ａを圧入固定したガイド軸ホルダー１０９は、ＥＶＦスライド大１０５にビス１２０にて固定される。
【００２５】
ガイド軸ホルダー１０９には、前記画像表示ユニットの画像を拡大するレンズ１１１を有する視度調整機構を配設して視度調整機構ユニット１３２を構成している。
【００２６】
視度調整機構ユニット１３２は以下のように構成、配設されている。
図５において、ガイド軸ホルダー１０９のガイド軸１０９ａには、画像表示ユニットにおいて表示される画像を拡大するためのレンズ１１１を固定したレンズ支持部材であるレンズホルダー１１０を、その案内軸受け孔１１０ａにおいて摺動可能に挿嵌している。レンズホルダー１１０とガイド軸ホルダー１０９のガイド軸１０９ａ圧入部根元の間であって、ガイド軸１０９ａにはレンズホルダー１１０を常に付勢する弾性部材であるコイルばね１１２を挿入している。一方、ガイド軸ホルダー１０９に設けた開口部１０９ｂにはレンズホルダー１１０の位置を変化させるための視度調整操作部材の一部である視度調整レバー１１３を一方の面より差込み、他方の面には軸力を与えるトルクばね１１４、前記軸力に対して所定の摩擦力を発生させるためのトルクシート１１５、レンズホルダー１１０の位置を規制するカムフォロワー部１１６ａを設けた、視度調整操作部材の一部である視度調整ピース１１６を順に挿入し、これらを視度部固定ビス１１７にて締結している。
【００２７】
レンズホルダー１１０には、前記カムフォロワー部１１６ａが当接する片面カム１１０ｂを設けている。視度調整レバー１１３と視度調整ピース１１６は一体に締結されて視度調整操作部材となる。視度調整レバー１１３の回動位置に応じてカムフォロワー部１１６ａの位置も移動し、レンズホルダー１１０の位置が変化する。なお、この片面カム１１０ｂは、前記コイルばね１１２の反発方向のみに対して位置規制されており、コイルばね１１２が縮む方向に対しては自由に移動できるように構成されている。このように構成された視度調整機構ユニット１３２は、ガイド軸ホルダー固定ビス１２０にてＥＶＦスライド大１０５に取り付けられる。
【００２８】
アイキャップ１１８は、一端をＥＶＦスライド大１０５の係合溝１０５ｃに引っかけ、他方は前記ガイド軸ホルダー１０９にビス１１９にて固定される。
【００２９】
このようにして組み立てられたＥＶＦスライド機構には、ＥＶＦカバー１２２を被せている。 ＥＶＦカバー１２２は、 この下方内面に設けた２本の係合リブ１２２ａをＥＶＦスライド大１０５に設けた２個所の係合溝１０５ｆに係合させることで固定している。
【００３０】
ＥＶＦスライド大１０５には、前記透明保護カバー１０８に付着したごみを除去するために開口部１０５ｄを形成している。そして、この開口部を通常塞いでおく窓カバー１２１を、このＥＶＦスライド大１０５に差し込んで、窓カバー１２１の弾性力により窓カバー１２１に設けた係合爪１２１ａとＥＶＦスライド大１０５に設けた係合穴１０５ｅにおいて係合させることにより、着脱可能に固定している。なお、この窓カバー１２１を取り付けることにより、前記ＥＶＦカバー１２２の前記係合リブ１２２ａ近傍をＥＶＦスライド大１０５との間で挟み込むことにより、前記係合リブ１２２ａが係合溝１０５ｆから外れないように構成している。
【００３１】
画像表示ユニットは、表示部の画角範囲を決めるように所定の寸法の角穴をあけた遮光部材であるＬＣＤマスク１２６、画像表示部であるＬＣＤパネル１２７、各構成部品の厚みばらつきを吸収すべく弾性体シートで構成したＥＶＦラバー１２８、２枚の基板をフレキシブル基板で一体につないだ構成で、ＬＣＤの光源となる角型蛍光管や種々の駆動回路を搭載したＬＣＤ駆動回路ユニット１２５、およびこのＬＣＤ駆動回路ユニット１２５の２枚の基板の間に挿入し、両者を所定の間隔で支持するためのＰＢスペーサー１２９よりなる。これらの部品は、前記の順番でＬＣＤホルダー１０６に挿入される。
【００３２】
最後に、ビデオカメラ本体１０２に対してＥＶＦユニットを所定のトルクで回動可能にするためのＥＶＦヒンジユニット１３０の一方の部材をＥＶＦスライド小１０３にヒンジ固定ビス１２４で固定することにより、閉蓋されて画像表示ユニットは収納、固定される。この時、所定の規制力を与える規制機構であるＥＶＦクリックばね１２３をＥＶＦスライド小１０３の上部に固定ビス１２４で同時に固定している。ＥＶＦクリックばね１２３は、ＥＶＦスライド機構の収納状態においては、所定の摩擦負荷を発生するようにＥＶＦスライド小１０３とＥＶＦスライド中１０４の間に挟まれている。また、ＥＶＦスライド機構の引き出し状態においては、ＥＶＦクリックばね１２３の先端傾斜部１２３ａがＥＶＦスライド中１０４の端面を付勢するように固定されており、ＥＶＦスライド機構の収納開始時に所定の負荷を発生させて、クリック感を与えるように配置、構成している。また、ＥＶＦクリックばね１２３の他端には、ＥＶＦスライド機構の収納時に前記スライドクリックばね１３１の先端と係合する係合傾斜部１２３ｂを構成している。この係合部において、ＥＶＦスライド機構の収納／引き出し時における所定の負荷を発生させ、収納状態への保持力およびクリック感を与えている。
【００３３】
なお、ＥＶＦヒンジユニット１３０の他方の部材はビデオカメラ本体１０２に固定ビス（図示せず）にて固定される。
【００３４】
以上のように構成された本実施の形態のＥＶＦ視度調整機構について、図７から図８を用いて、その動作を説明する。
【００３５】
図７はＥＶＦユニット１０１を引き出した状態、図８はＥＶＦユニット１０１を収納した状態を、いずれも示したものである。
【００３６】
先ず、ＥＶＦユニット１０１を引き出した状態について説明する。図７のように、ストッパー内爪１０４ｂとストッパーガイド穴１０３ｂの端面、ストッパー外爪１０４ｃとストッパーガイド穴１０５ｂの端面が、いずれも当接することで所定の引き出し位置まで引き出される。なおかつ、ＥＶＦスライド中１０４のクリック穴１０４ａとＥＶＦスライド大１０５のスライドクリックバネ１３１の先端１３１ａが嵌合し、ＥＶＦクリックばね１２３の先端傾斜部１２３ａがＥＶＦスライド中１０４の端面に当接、付勢することによって、この引き出し位置に保持される。
【００３７】
視度調整機構ユニット１３２については、視度調整レバー１１３の回動位置を変えて、レンズ１１１が使用者の視力にあわせた位置になるように調整されている。
【００３８】
次に、ＥＶＦユニット１０１を収納した状態について説明する。
図８のように、ストッパー内爪１０４ｂとストッパーガイド穴１０３ｂの端面、ストッパー外爪１０４ｃとストッパーガイド穴１０５ｂの端面が、いずれも当接することで所定の収納位置まで収納される。なおかつ、ＥＶＦクリックばね１２３の係合傾斜部１２３ｂとスライドクリックばね１３１の先端１３１ａが係合することによって、この収納位置に保持される。
【００３９】
視度調整機構ユニット１３２については、収納時にレンズホルダー１１０と透明保護カバー１０８が収納過程の途中から当接する。ここで、レンズホルダー１１０の位置は片面カム１１０ｂによってコイルばね１１２の反発方向のみに対して位置規制されているので、さらに収納動作を継続するとコイルばね１１２が縮み、片面カム１１０ｂとカムフォロワー部１１６ａは離れる。このようにして、レンズの位置に関係なくコンパクトに収納することができる。
【００４０】
なお、本実施の形態において、筒状薄肉部材であるＥＶＦスライド小１０３、ＥＶＦスライド中１０４、ＥＶＦスライド大１０５は、いずれも鉄板の深絞りにて作成したが、曲げ加工後、かしめや溶接によって作成しても、押し出し加工にて加工してもよく、その加工方法は問わない。また、材料は必ずしも鉄板でなくてよい。
【００４１】
また、遮光シェード１０７は薄肉板金で作った基板部品にシリコンゴムをインサート成形で作成したが、材料、加工方法は問わない。たとえば、樹脂の基材にエラストマーやシリコンゴムを一体成形してもよく、加工方法も接着で作成してもかまわない。
【００４２】
さらに本実施の形態では、所定の規制力をあたえる規制機構として、ＥＶＦクリックばね１２３とスライドクリックばね１３１を使用したが、１つの部材で構成しても、他の部材の一部に一体的に形成してもよく、その方法は問わない。また所定の規制力は、必ずしもクリック感は必要なく、摩擦等の保持力だけでも構わない。
【００４３】
また、コイルばね１１２は１つでも、あるいは圧縮コイルばねでなくてもよい。また、視度調整方法は、必ずしもレバー方式でなくてもよいし、操作トルクの発生方法も問わない。
【００４４】
【発明の効果】
以上のように本発明は、第１から第３の筒状薄肉部材からなるスライド機構に使用している２本の案内軸をレンズ支持部材の案内軸として共用することにより、コストＵＰとスペース確保の問題を解決しながら小型で精度のよいＥＶＦ視度調整機構を構成することができる。
【図面の簡単な説明】
【図１】本発明の実施の形態のＥＶＦ視度調整機構を含むＥＶＦスライド機構を有するビデオカメラの斜視図
【図２】本発明の実施の形態のＥＶＦ視度調整機構を含むＥＶＦスライド機構の全体の分解斜視図
【図３】本発明の実施の形態のＥＶＦ視度調整機構を含むＥＶＦスライド機構の部分的分解斜視図
【図４】本発明の実施の形態のＥＶＦ視度調整機構を含むＥＶＦスライド機構の部分的分解斜視図
【図５】本発明の実施の形態のＥＶＦ視度調整機構の分解斜視図
【図６】本発明の実施の形態のＥＶＦ視度調整機構を含むＥＶＦスライド機構の部分的分解斜視図
【図７】本発明の実施の形態のＥＶＦ視度調整機構を含むＥＶＦスライド機構を引き出した状態における側断面図
【図８】本発明の実施の形態のＥＶＦ視度調整機構を含むＥＶＦスライド機構を収納した状態における側断面図
【図９】従来のＥＶＦ視度調整機構を含むＥＶＦスライド機構を有するビデオカメラの斜視図
【図１０】従来のＥＶＦ視度調整機構を含むＥＶＦスライド機構の分解斜視図
【図１１】従来のＥＶＦ視度調整機構の分解斜視図
【符号の説明】
１０１  ＥＶＦユニット
１０２  ビデオカメラ本体
１０３  ＥＶＦスライド小
１０４  ＥＶＦスライド中
１０５  ＥＶＦスライド大
１０６  ＬＣＤホルダー
１０７  遮光シェード
１０８  透明保護パネル
１０９  ガイド軸ホルダー
１１０  レンズホルダー
１１１  レンズ
１１２  コイルばね
１１３  視度調整レバー
１１４  トルクばね
１１５  トルクシート
１１６  視度調整ピース
１１７  視度部固定ビス
１１８  アイキャップ
１１９  ビス
１２０  ガイド軸ホルダー固定ビス
１２１  窓カバー
１２２  ＥＶＦカバー
１２３  ＥＶＦクリックばね
１２４  ヒンジ固定ビス
１２５  ＬＣＤ駆動回路ユニット
１２６  ＬＣＤマスク
１２７  ＬＣＤパネル
１２８  ＥＶＦラバー
１２９  ＰＢスペーサー
１３０  ＥＶＦヒンジユニット
１３１  スライドクリックばね
１３２  視度調整機構ユニット
【図１】
0003677991.tif 000002
【図２】
0003677991.tif 000003
【図３】
0003677991.tif 000004
【図４】
0003677991.tif 000005
【図５】
0003677991.tif 000006
【図６】
0003677991.tif 000007
【図７】
0003677991.tif 000008
【図８】
0003677991.tif 000009
【図９】
0003677991.tif 000010
【図１０】
0003677991.tif 000011
【図１１】
0003677991.tif 000012